(57)【要約】【課題】つばが自重により折れ曲がってしまい、使用態様によってはつばの効果が得られないこと。【解決手段】この腕ガード１００は全体がシリコン製であって、手袋１の手首２の近傍、好ましくは手首２よりも若干手先側の位置に円形平板状のガード面３を一体に設けた構成である。ガード面３は、波のラインが円の径方向に複数放射状に形成され、法線方向の断面が波形状となる。ガード面３を波形状にすることでガード面３が自重で曲がるのを防止し、ガード面３全体が円形に保持される。この腕ガード１００によれば、手袋１をはめて油料理をする際、鍋から撥ねた油がガード面３によりブロックされるので、熱い油が腕に飛ぶことがない。また、ガード面３を波形状とすることで使用時にガード面３を開いた状態を保持できる。【選択図】図１
2011137273.tif 000002
【特許請求の範囲】
【請求項１】
手袋の手首近傍に平板状のガード面が設けられ、当該ガード面には略放射状に波のライン又はリブが形成されていることを特徴とする腕ガード。
【請求項２】
手を通す穴を有する平板状のガード面が設けられ、当該ガード面には略放射状に波のライン又はリブが形成されていることを特徴とする腕ガード。
【請求項３】
更に、前記ガード面はアール曲面で構成されていることを特徴とする請求項１又は２に記載の腕ガード。
【発明の詳細な説明】
【技術分野】
【０００１】
本発明は、油料理等の際に撥ねた油から腕を守るための腕ガードに関するものである。
【背景技術】
【０００２】
従来から、特許文献１に開示されているようなつば付きの手袋が知られている。このつば付きの手袋は、衣類の袖が濡れないようにゴム手袋の腕の部分に円形のつばを形成したものである。
【先行技術文献】
【特許文献】
【０００３】
【特許文献１】特開２００２−０１３０１６号公報
【発明の概要】
【発明が解決しようとする課題】
【０００４】
しかしながら、従来のつば付き手袋は、比較的大きめのつばの場合、当該つばが自重により折れ曲がってしまい、使用態様によってはつばの効果が得られないという問題点があった。この発明は、このような課題を解決するためになされたものである。
【課題を解決するための手段】
【０００５】
本発明の腕ガードは、手袋の手首近傍に平板状のガード面が設けられ、当該ガード面には略放射状に波のライン又はリブが形成され、全体がシリコンにより成形されていることを特徴とする。
【０００６】
本発明の腕ガードは、手を通す穴を有する平板状のガード面が設けられ、当該ガード面には略放射状に波のライン又はリブが形成され、全体がシリコンにより成形されていることを特徴とする。
【０００７】
本発明の腕ガードは、上記発明において、更に、前記リブの角はアールが設けられていることを特徴とする。
【図面の簡単な説明】
【０００８】
【図１】この発明の実施の形態１に係る腕ガードを示す斜視図である。
【図２】この発明の実施の形態１に係る腕ガードの変形例を示す斜視図である。
【図３】この発明の実施の形態１の変形例を示す斜視図である。
【図４】この発明の実施の形態２に係る腕ガードを示す斜視図である。
【図５】この発明の実施の形態２に係る腕ガードの変形例を示す斜視図である。
【図６】この実施の形態３に係る腕ガードの変形例を示す斜視図である。
【発明を実施するための形態】
【０００９】
（実施の形態１）
図１は、この発明の実施の形態１に係る腕ガードを示す斜視図である。この腕ガード１００は全体がシリコン製であって、手袋１の手首２の近傍、好ましくは手首２よりも若干手先側の位置に円形平板状のガード面３を一体に設けた構成である。ガード面３は、波のラインが円の径方向に複数放射状に形成され、法線方向の断面が波形状となる。ガード面３を波形状にすることでガード面３が自重で曲がるのを防止し、ガード面３全体が円形に保持される。また、波形状にすることでガード面３の表面がアール曲面で構成され、角が生じないため、ガード面３に付着した油等を洗浄しやすい。
【００１０】
また、ガード面３の内周は手袋１の入口４の周縁と連続的に繋がり、手袋１の面に対して略垂直に立っている。この腕ガード１００ではガード面３を持ちながら手を挿入し、手の甲が入口４を通過するときに当該入口４が伸び、手が手袋１に入った後に当該入口４が手首近傍に密着する。
【００１１】
前記ガード面３の直径は１８０ｍｍ以上３００ｍｍ以下とするのが好ましい。また円形のガード面３に対して手袋１の入口４を偏心して設けても良い。また、ガード面３の形状は円形に限定されない。例えば、楕円や方形でも良い。
【００１２】
腕ガード１００全体のシリコン硬度は４０以上６０以下とするのが好ましい。シリコン厚さは１ｍｍ以上３ｍｍ以下が好ましい。また、手袋１の厚さとガード面３の厚さとを変えるようにしても良い。特に、熱くなった鍋や油に触れる可能性が高い指先の厚さを厚くしても良い。更に、指先には微小な凹凸を形成して、お箸等が滑り難いようにするのが好ましい。
【００１３】
また、図２に示すように、腕ガード１５０のガード面３を円板状とし且つ径方向で且つ放射状に複数のリブ１０を形成しても良い。このリブ１０によりガード面３が自重で曲がるのを防止し、ガード面３全体が円形に保持される。また、当該リブ１０は断面に角ができないよう曲面で形成する。これにより、ガード面３に付着した油等を洗浄しやすくする。
【００１４】
以上、この発明の腕ガード１００，１５０によれば、手袋１をはめて油料理をする際、鍋から撥ねた油がガード面３によりブロックされるので、熱い油が腕に飛ぶことがない。このため、袖を汚さず、半袖で調理する際も素肌に油が飛んで火傷するのを防止できる。更に、ガード面３を波形状とし又は径方向にリブ１０を成形することで使用時にガード面３を開いた状態を保持できる。
【００１５】
なお、上記実施の形態１では、腕ガード１００をシリコン製としたが、ある程度の柔軟性がある耐熱性の素材であればこれに限定されない。例えば、塩化ビニル等のプラスチックや天然ゴムであっても良い。
【００１６】
図３は、この発明の実施の形態１の変形例を示す斜視図である。この腕ガード１５０では、腕ガード１５０の素材をアルミニウム等の伸縮性の低い素材をガード面１５３に用いている。具体例として、ガード面１５３は、ベースとなるシリコンのガード面１５２にアルミニウム面１５４を積層形成した構造である。ガード面１５３の表面をアルミニウムにすることで油の撥ねに強いものとなる。一方で、伸縮性が低下するため、図３に示すように、ガード面３の一部に径方向の切り欠き１５１を設け、手を通すときにこの切り欠き１５１の部分が開くことで、手袋１に手が入りやすいようにする。なお、図示しないが、この切り欠き部１５１は、両端縁が互いに重なるようにしても良い。
【００１７】
（実施の形態２）
図４は、この発明の実施の形態２に係る腕ガードを示す斜視図である。この腕ガード２００は、実施の形態１の腕ガード１００と略同じ構造であるが、手袋１に一体化したものではなく、腕ガード２００自体で独立した構造となる。この腕ガード２００は、全体がシリコン製である。また、当該腕ガード２００は、全体的に円形平板状のガード面２０３を有し且つ中央に手Ｈに装着するための穴２０２を有する。また、ガード面２０３は、波のラインが円の径方向に複数放射状に形成され、法線方向の断面が波形状となる。ガード面２０３を波形状にすることでガード面２０３が自重で曲がるのを防止し、ガード面２０３全体が円形に保持される。また、波形状にすることでガード面２０３がアール曲面で構成され、角が生じないため、ガード面２０３に付着した油等を洗浄しやすい。
【００１８】
ガード面２０３の穴２０２周縁には手首に沿う方向にリブ２０１が形成されリストバンド状となる。また、ガード面２０３は当該リブ２０１に対して略垂直に形成される。リブ２０１は、手Ｈの挿入時に伸び、手Ｈを通した後は縮んで手首近傍に密着する。リブ２０１が手首に対して密着することで、リブ２０１から略垂直に形成されたガード面２０３が当該手首に対して開いた状態を保持できるようになる。
【００１９】
前記ガード面２０３の直径は１８０ｍｍ以上３００ｍｍ以下とするのが好ましい。また円形のガード面２０３に対して穴２０２を偏心して設けても良い。また、ガード面２０３の形状は円形に限定されない。例えば、楕円や方形でも良い。シリコン硬度は４０以上６０以下とするのが好ましい。シリコン厚さは１ｍｍ以上３ｍｍ以下が好ましい。
【００２０】
また、図５に示すように、ガード面２０３を円板状とし、径方向に複数のリブ２１０を形成しても良い。このリブによりガード面２０３が自重で曲がるのを防止し、腕ガード２５０全体が円形に保持される。また、当該リブ２１０は断面に角ができないよう曲面で形成する。これにより、ガード面２０３に付着した油等を洗浄しやすくする。
【００２１】
以上、この発明の腕ガード２００，２５０によれば、手袋を装着した上から手首に装着することができ、また素手の状態でも装着可能である。そして、手袋をはめて油料理をする際、鍋から撥ねた油がガード面２０３によりブロックされるので、熱い油が袖や腕に飛ぶことがない。このため、袖を汚さず、半袖で調理する際も素肌に油が飛んで火傷するのを防止できる。更に、ガード面２０３を波形状とし又は径方向にリブ２１０を成形することで使用時でもガード面２０３を開いたまま保持できる。
【００２２】
また、上記腕ガード２００は、ガード面２０３の表面にアルミニウム等の難燃性の素材を積層しても良い（図示省略）。ガード面２０３の表面をアルミニウムにすることで油の撥ねに強いものとなる。また、上記リブ２０１を省略しても良い。
【００２３】
（実施の形態３）
図６は、この実施の形態３に係る腕ガードの変形例を示す斜視図である。この腕ガード３００は、手袋３０１とガード部３０２とが分離独立した構造であり、手袋３０１は、シリコン製であって手首の部分に裾部３０３を有する。この裾部３０３は、他の部分よりも厚さが厚く、且つ、広がった形状となっている。また、ガード部３０２は、全体がシリコン製である。また、当該ガード部３０２は、全体的に円形平板状のガード面３０４を有し且つ中央に手袋３０１に装着するための穴３０５を有する。指先には微小な凹凸を形成して、お箸等が滑り難いようにするのが好ましい。
【００２４】
また、ガード面３０４は、波のラインが円の径方向に複数放射状に形成され、法線方向の断面が波形状となる。ガード面３０４を波形状にすることでガード面３０４が自重で曲がるのを防止し、ガード面３０４全体が円形に保持される。また、波形状にすることでガード面３０４がアール曲面で構成され、角が生じないため、ガード面３０４に付着した油等を洗浄しやすい。前記裾部３０３の直径は前記穴３０５の内径よりも大きい。
【００２５】
前記ガード部３０２の直径は１８０ｍｍ以上３００ｍｍ以下とするのが好ましい。ガード面部３０２の形状は円形に限定されない。例えば、楕円や方形でも良い。腕ガード３００全体のシリコン硬度は４０以上６０以下とするのが好ましい。シリコン厚さは１ｍｍ以上３ｍｍ以下が好ましい。また、手袋１の厚さとガード面３の厚さとを変えるようにしても良い。特に、熱くなった鍋や油に触れる可能性が高い指先の厚さを厚くしても良い。
【００２６】
この腕ガード３００は、使用にあたり手袋３０１を手に装着した状態でガード部３０２を手袋３０１の周囲に装着する。この状態で油料理等を行う。次に、ガード部３０２を単独で手袋３０１から外すこともできるし、手袋３０１と同時に外すこともできる。即ち、前記裾部３０３は、ガード部３０２の穴３０５の内径より大きな直径となり且つ厚めであるため、穴３０５が裾部３０３に引っ掛かり、手袋３０１と同時に外すことができる。また、裾部３０３により、手袋３０１のみを使用する際、水等が手袋３０１を超えて腕に伝わるのを防止できる。
【００２７】
以上、この発明の腕ガード３００によれば、手袋３０１をはめて油料理をする際、鍋から撥ねた油がガード面３０４によりブロックされるので、熱い油が腕に飛ぶことがない。このため、袖を汚さず、半袖で調理する際も素肌に油が飛んで火傷するのを防止できる。更に、ガード面３０４を波形状とすることで使用時にガード面３０４を開いた状態を保持できる。
【００２８】
なお、上記実施の形態３では、腕ガード３００をシリコン製としたが、柔軟性がある耐熱性の素材であればこれに限定されない。
【符号の説明】
【００２９】
１００  腕ガード
１  手袋
３  ガード面
【図１】
2011137273.tif 000003
【図２】
2011137273.tif 000004
【図３】
2011137273.tif 000005
【図４】
2011137273.tif 000006
【図５】
2011137273.tif 000007
【図６】
2011137273.tif 000008